(57)【要約】【課題】遊技場の電源供給システムにおいて、特定の遊技機が遊技者にとって快適に作動する状態であるか否かを遊技場の店員に正確に報知する。【解決手段】遊技機固有電源供給ユニット１０の単位又は島固有電源供給ユニット２０の単位で電力供給を行うか否かの切換えを行うとともに、各電力線の電圧値や電流値に基づいて電力供給状態の異常を検出し、これが遊技機２又は遊技機固有設備装置である場合は、その遊技機固有電源供給ユニット１０を特定し、該遊技機固有電源供給ユニット１０を特定する情報を表示手段３６に表示させ、また、島固有設備装置が異常の場合は、該島固有設備装置に関連する遊技機２及びその遊技機固有設備装置の遊技機固有電源供給ユニット１０を特定し、該遊技機固有電源供給ユニット１０を特定する情報を表示手段３６に表示させる。【選択図】図１
2008245898.tif 000002
【特許請求の範囲】
【請求項１】
複数台の遊技機と、遊技機一台毎に設置される複数種類の遊技機固有設備装置と、所定台数の遊技機毎に設置される島固有設備装置と、に電力を供給する電源供給システムであって、
一台の遊技機の電力線と該遊技機に関連した複数の前記遊技機固有設備装置の各電力線とが接続されるユニットであって、一台の遊技機と前記遊技機に関連した複数の前記遊技機固有設備装置に電力を供給するか非供給にするかを切換可能な遊技機固有電力供給切換手段と、前記各電力線の電圧値及び／又は電流値に基づいて前記遊技機と前記遊技機固有設備装置への電力供給状況が異常であるか否かを検出する遊技機固有電力供給検出手段と、が設けられ、遊技機の台数分設置される遊技機固有電源供給ユニットと、
前記島固有設備装置の電力線が接続されるユニットであって、前記島固有設備装置に電力を供給するか非供給にするかを切換可能な島固有電力供給切換手段と、前記電力線の電圧値及び／又は電流値に基づいて前記島固有設備装置への電力供給状況が異常である否かを検出する島固有電力供給検出手段と、が設けられ、所定台数の遊技機毎に設置される島固有電源供給ユニットと、
複数の前記遊技機固有電力供給切換手段と、複数の前記島固有電力供給切換手段とに、通信可能に接続されるものであって、前記遊技機固有電源供給ユニット及び前記島固有電源供給ユニットから前記遊技機、前記遊技機固有設備装置及び前記島固有設備装置に電力供給を行うか否かを、複数の前記遊技機固有電力供給切換手段と複数の前記島固有電力供給切換手段とに対して指示する電力供給指示手段と、
複数の前記遊技機固有電力供給検出手段と通信可能に接続されるものであって、前記遊技機固有電力供給検出手段による検出結果を、前記遊技機固有電源供給ユニット毎に個別に管理する遊技機固有検出結果管理手段と、
複数の前記島固有電力供給検出手段と通信可能に接続されるものであって、前記島固有電力供給検出手段による検出結果を、その島固有設備装置に対応して設置されている遊技機の前記遊技機固有電源供給ユニット毎に個別に管理する島固有検出結果管理手段と、
電力供給を行っていない前記遊技機固有電力供給切換手段と前記島固有電力供給切換手段に電力供給を行う状態への切り換えを指示する電力供給開始指示入力装置と、
前記電力供給開始指示入力装置からの入力に基づいて、前記電力供給指示手段に対して、全て又は一部の前記遊技機固有電力供給切換手段と前記島固有電力供給切換手段に電力供給を行う指示だしを行わせるとともに、全て又は一部の前記遊技機固有電力供給切換手段と前記島固有電力供給切換手段に電力供給を行う指示だしを行った後、前記遊技機固有検出結果管理手段と前記島固有検出結果管理手段により異常という検出結果となっている遊技機固有電源供給ユニットを特定し、該遊技機固有電源供給ユニットを特定する情報を表示手段に表示させる電力供給管理手段と、
を備えることを特徴とする電源供給システム。
【請求項２】
前記遊技機固有電源供給ユニット及び／又は島固有電源供給ユニットは、
前記各電力線に対する電力供給を入り／切りさせるリレーと、
前記各電力線の電圧値を検出する電圧検出センサと、
前記各電力線の電流値を検出する電流検出センサと、
前記電力供給指示手段からの指示に応じて、対応する前記リレーを入り／切り動作させるとともに、前記電圧検出センサ及び／又は電流検出センサの検出結果を前記遊技機固有検出結果管理手段及び／又は島固有検出結果管理手段に送信する制御部と、
を備えることを特徴とする請求項１記載の電源供給システム。
【請求項３】
前記電力供給管理手段は、
前記電力供給指示手段を介して、全て又は一部の前記遊技機固有電力供給切換手段と前記島固有電力供給切換手段に電力供給を行う指示だしを行うにあたり、各遊技機固有電力供給切換手段及び各島固有電力供給切換手段にシリアルナンバーを付与するとともに、一の遊技機固有電力供給切換手段又は島固有電力供給切換手段への指示だしが終わる毎にインクリメント又はデクリメントされる変数Ｎに基づいて各遊技機固有電力供給切換手段及び各島固有電力供給切換手段を特定するようになっており、
一の遊技機固有電力供給切換手段又は島固有電力供給切換手段への指示だしには、
特定された遊技機固有電力供給切換手段又は島固有電力供給切換手段に対して電力供給側への切換えを指示する処理と、
特定された遊技機固有電力供給切換手段又は島固有電力供給切換手段が電力供給側に切換えられた後、対応する遊技機固有電力供給検出手段又は島固有電力供給検出手段から各電力線の電圧値及び／又は電流値を受信する処理と、
受信した電圧値及び／又は電流値が異常値であるか否かをに基づいて各電力線への電力供給状況が異常であるか否かを判断する処理と、
異常と判断された遊技機固有電力供給切換手段又は島固有電力供給切換手段を特定するための変数Ｎを前記表示手段に表示させる処理と、
が含まれることを特徴とする請求項１又は２記載の電源供給システム。
【発明の詳細な説明】
【技術分野】
【０００１】
本発明は、パチンコ機などの遊技機が設置される遊技場に導入され、遊技機、遊技機固有設備装置、島固有設備装置などの遊技場設置機器に電力供給を行う電源供給システムに関する。
【背景技術】
【０００２】
近年、遊技店における各設置機器への電力供給に関する新たな技術が開発されている（例えば、特許文献１〜３参照）。例えば、特許文献３には、遊技機毎に電源供給が行われているか否かを表示する技術（請求項３）が開示されている。また、特許文献３に示されるシステムは、特定の遊技機が適正に作動しているか否かを遊技店の店員に報知する機能を有している。
【特許文献１】特開平１１−２０７０００号公報
【特許文献２】特開２００２−２９１９９５号公報
【特許文献３】特開２００４−１３５７１７号公報
【発明の開示】
【発明が解決しようとする課題】
【０００３】
ところで、近年、遊技機を遊技者にとって快適に作動させるためには、遊技機だけでなく、遊技機がトラブル状態になった際に遊技店店員を呼び出す呼出ランプ、遊技球を貸し出す球貸機、球貸機に挿入された紙幣や硬貨を回収して収納する島金庫、遊技機から排出された遊技球を研磨する研磨機など、遊技店に設置されている様々な設備機器へも電力供給を開始させなければならないが、現状のシステムでは、特定の遊技機に関連する遊技機固有設備装置や、特定の遊技機が属する島の島固有設備装置に対して正常に電力供給が行われているか否かを報知する機能がないため、特定の遊技機が遊技者にとって快適に作動する状態であるか否かを店員が正確に判断することは困難であった。
【０００４】
そこで、本発明は、特定の遊技機が遊技者にとって快適に作動する状態であるか否かを遊技場の店員に正確に報知することができる電源供給システムの提供を目的とする。
【課題を解決するための手段】
【０００５】
本発明は、上記の如き実情に鑑みこれらの課題を解決することを目的として創作されたものであって、複数台の遊技機と、遊技機一台毎に設置される複数種類の遊技機固有設備装置と、所定台数の遊技機毎に設置される島固有設備装置と、に電力を供給する電源供給システムであって、一台の遊技機の電力線と該遊技機に関連した複数の前記遊技機固有設備装置の各電力線とが接続されるユニットであって、一台の遊技機と前記遊技機に関連した複数の前記遊技機固有設備装置に電力を供給するか非供給にするかを切換可能な遊技機固有電力供給切換手段と、前記各電力線の電圧値及び／又は電流値に基づいて前記遊技機と前記遊技機固有設備装置への電力供給状況が異常であるか否かを検出する遊技機固有電力供給検出手段と、が設けられ、遊技機の台数分設置される遊技機固有電源供給ユニットと、前記島固有設備装置の電力線が接続されるユニットであって、前記島固有設備装置に電力を供給するか非供給にするかを切換可能な島固有電力供給切換手段と、前記電力線の電圧値及び／又は電流値に基づいて前記島固有設備装置への電力供給状況が異常である否かを検出する島固有電力供給検出手段と、が設けられ、所定台数の遊技機毎に設置される島固有電源供給ユニットと、複数の前記遊技機固有電力供給切換手段と、複数の前記島固有電力供給切換手段とに、通信可能に接続されるものであって、前記遊技機固有電源供給ユニット及び前記島固有電源供給ユニットから前記遊技機、前記遊技機固有設備装置及び前記島固有設備装置に電力供給を行うか否かを、複数の前記遊技機固有電力供給切換手段と複数の前記島固有電力供給切換手段とに対して指示する電力供給指示手段と、複数の前記遊技機固有電力供給検出手段と通信可能に接続されるものであって、前記遊技機固有電力供給検出手段による検出結果を、前記遊技機固有電源供給ユニット毎に個別に管理する遊技機固有検出結果管理手段と、複数の前記島固有電力供給検出手段と通信可能に接続されるものであって、前記島固有電力供給検出手段による検出結果を、その島固有設備装置に対応して設置されている遊技機の前記遊技機固有電源供給ユニット毎に個別に管理する島固有検出結果管理手段と、電力供給を行っていない前記遊技機固有電力供給切換手段と前記島固有電力供給切換手段に電力供給を行う状態への切り換えを指示する電力供給開始指示入力装置と、
前記電力供給開始指示入力装置からの入力に基づいて、前記電力供給指示手段に対して、全て又は一部の前記遊技機固有電力供給切換手段と前記島固有電力供給切換手段に電力供給を行う指示だしを行わせるとともに、全て又は一部の前記遊技機固有電力供給切換手段と前記島固有電力供給切換手段に電力供給を行う指示だしを行った後、前記遊技機固有検出結果管理手段と前記島固有検出結果管理手段により異常という検出結果となっている遊技機固有電源供給ユニットを特定し、該遊技機固有電源供給ユニットを特定する情報を表示手段に表示させる電力供給管理手段と、
を備えることを特徴とする。
このようにすると、遊技機固有電源供給ユニット単位又は島固有電源供給ユニット単位で電力供給を行うか否かの切換えを行うとともに、各電力線の電圧値や電流値に基づいて電力供給状態の異常を検出し、これが遊技機又は遊技機固有設備装置である場合は、その遊技機固有電源供給ユニットを特定し、該遊技機固有電源供給ユニットを特定する情報を表示手段に表示させ、また、島固有設備装置が異常の場合は、該島固有設備装置に関連する遊技機及びその遊技機固有設備装置の遊技機固有電源供給ユニットを特定し、該遊技機固有電源供給ユニットを特定する情報を表示手段に表示させることができるので、特定の遊技機が遊技者にとって快適に作動する状態であるか否かを遊技場の店員に正確に報知することが可能になる。これにより、遊技場の店員は、遊技に支障をきたしている遊技機の適正な対策作業を簡易に行うことができる。
また、前記遊技機固有電源供給ユニット及び／又は島固有電源供給ユニットは、前記各電力線に対する電力供給を入り／切りさせるリレーと、前記各電力線の電圧値を検出する電圧検出センサと、前記各電力線の電流値を検出する電流検出センサと、前記電力供給指示手段からの指示に応じて、対応する前記リレーを入り／切り動作させるとともに、前記電圧検出センサ及び／又は電流検出センサの検出結果を前記遊技機固有検出結果管理手段及び／又は島固有検出結果管理手段に送信する制御部と、を備えることを特徴とする。
このようにすると、本発明に係る遊技機固有電源供給ユニットや島固有電源供給ユニットを簡略に構成し、本発明の電源供給システムを低コストで構築することが可能になる。
また、前記電力供給管理手段は、前記電力供給指示手段を介して、全て又は一部の前記遊技機固有電力供給切換手段と前記島固有電力供給切換手段に電力供給を行う指示だしを行うにあたり、各遊技機固有電力供給切換手段及び各島固有電力供給切換手段にシリアルナンバーを付与するとともに、一の遊技機固有電力供給切換手段又は島固有電力供給切換手段への指示だしが終わる毎にインクリメント又はデクリメントされる変数Ｎに基づいて各遊技機固有電力供給切換手段及び各島固有電力供給切換手段を特定するようになっており、一の遊技機固有電力供給切換手段又は島固有電力供給切換手段への指示だしには、特定された遊技機固有電力供給切換手段又は島固有電力供給切換手段に対して電力供給側への切換えを指示する処理と、特定された遊技機固有電力供給切換手段又は島固有電力供給切換手段が電力供給側に切換えられた後、対応する遊技機固有電力供給検出手段又は島固有電力供給検出手段から各電力線の電圧値及び／又は電流値を受信する処理と、受信した電圧値及び／又は電流値が異常値であるか否かをに基づいて各電力線への電力供給状況が異常であるか否かを判断する処理と、異常と判断された遊技機固有電力供給切換手段又は島固有電力供給切換手段を特定するための変数Ｎを前記表示手段に表示させる処理と、が含まれることを特徴とする。
このようにすると、全て又は一部の遊技機、遊技機固有設備装置及び島固有設備装置に電源投入を行う際に、異常な機器の情報を表示できるので、電源投入後、異常な機器を含む遊技機単位又は島単位で適正な対策作業を実施することができる。
【発明の効果】
【０００６】
上記のような本発明によれば、特定の遊技機が遊技者にとって快適に作動する状態であるか否かを遊技場の店員に正確に報知することができる。
【発明を実施するための最良の形態】
【０００７】
次に、本発明の実施の形態について、図面に基づいて説明する。図１において、１は遊技場に導入される電源供給システムであって、該電源供給システム１が導入される遊技場には、島に複数設置されるパチンコ機などの遊技機２、遊技機２がトラブル状態になった際に遊技店店員を呼び出す呼出ランプ３、遊技球を貸し出す球貸機４、球貸機４に挿入された紙幣や硬貨を回収して収納する島金庫５、遊技機２から排出された遊技球を研磨する研磨機６などの機器が設置されている。ここで、呼出ランプ３及び球貸機４は、遊技機２単位で設けられる遊技機固有設備装置であり、島金庫５及び研磨機６は、島単位で設けられる島固有設備装置である。
【０００８】
電源供給システム１は、上記のような遊技場設置機器に電力を供給するシステムであって、複数の遊技機固有電源供給ユニット１０と、複数の島固有電源供給ユニット２０と、ＬＡＮケーブルなどの通信ケーブルＣを介して、これらの電源供給ユニット１０、２０と通信可能に接続されるホールコンピュータ３０とを備えて構成されている。
【０００９】
遊技機固有電源供給ユニット１０は、一台の遊技機２の電力線と該遊技機２に関連した複数の遊技機固有設備装置の各電力線とが接続されるユニットであって、一台の遊技機２と該遊技機２に関連した複数の遊技機固有設備装置に電力を供給するか非供給にするかを切換可能な遊技機固有電力供給切換手段と、各電力線の電圧値や電流値に基づいて遊技機２と遊技機固有設備装置への電力供給状況が異常であるか否かを検出する遊技機固有電力供給検出手段とを備えており、遊技機２の台数分設置される。
【００１０】
具体的に説明すると、本実施形態の遊技機固有電源供給ユニット１０は、図２に示すように、各電力線に対する電力供給を入り／切りさせる複数のリレーＲＬ１、ＲＬ２と、各電力線の電圧値を検出する電圧検出センサＳＮ１、ＳＮ２と、各電力線の電流値を検出する電流検出センサＳＮ３、ＳＮ４と、ホールコンピュータ３０からの指示に応じて、対応するリレーＲＬ１、ＲＬ２を入り／切り動作させるとともに、電圧検出センサＳＮ１、ＳＮ２及び電流検出センサＳＮ３、ＳＮ４の検出結果をホールコンピュータ３０に送信する制御部１１（遊技機固有電力供給切換手段、遊技機固有電力供給検出手段）とを備えて構成されている。
【００１１】
遊技機固有電源供給ユニット１０は、必要に応じてトランスなどで変圧した電力を各電力線に供給する。例えば、本実施形態の遊技機固有電源供給ユニット１０は、ＡＣ１００Ｖの電力を入力し、この入力電力を変圧せずに球貸機４に供給するとともに、入力電力をＡＣ２４Ｖに変圧して遊技機２及び呼出ランプ３に供給する。電力を供給する電力線の数は、任意に変更することができ、各電力線毎に、リレー、電圧検出センサ及び電流検出センサが設けられる。なお、本実施形態の遊技機固有電源供給ユニット１０は、各電力線の状態を表示する状態表示部１２を備えるが、これは省略してもよい。
【００１２】
島固有電源供給ユニット２０は、島固有設備装置の電力線が接続されるユニットであって、島固有設備装置に電力を供給するか非供給にするかを切換可能な島固有電力供給切換手段と、電力線の電圧値や電流値に基づいて島固有設備装置への電力供給状況が異常である否かを検出する島固有電力供給検出手段とを備えており、所定台数の遊技機２毎（又は島毎）に設置される。
【００１３】
具体的に説明すると、本実施形態の島固有電源供給ユニット２０は、図３に示すように、各電力線に対する電力供給を入り／切りさせる複数のリレーＲＬ１、ＲＬ２と、各電力線の電圧値を検出する電圧検出センサＳＮ１、ＳＮ２と、各電力線の電流値を検出する電流検出センサＳＮ３、ＳＮ４と、ホールコンピュータ３０からの指示に応じて、対応するリレーＲＬ１、ＲＬ２を入り／切り動作させるとともに、電圧検出センサＳＮ１、ＳＮ２及び電流検出センサＳＮ３、ＳＮ４の検出結果をホールコンピュータ３０に送信する制御部２１（島固有電力供給切換手段、島固有電力供給検出手段）とを備えて構成されている。
【００１４】
島固有電源供給ユニット２０は、島固有設備装置に対応した電力を各電力線に供給する。例えば、本実施形態の島固有電源供給ユニット２０は、ＡＣ１００Ｖ及びＡＣ２００Ｖの電力を入力し、ＡＣ１００Ｖの電力を島金庫５に供給するとともに、ＡＣ２００Ｖの電力を研磨機６に供給する。電力を供給する電力線の数は、任意に変更することができ、各電力線毎に、リレー、電圧検出センサ及び電流検出センサが設けられる。なお、本実施形態の島固有電源供給ユニット２０は、各電力線の状態を表示する状態表示部２２を備えるが、これは省略してもよい。
【００１５】
図４に示すように、ホールコンピュータ３０は、キーボード、マウスなどの入力機器や、液晶ディスプレイなどの表示機器が接続されたコンピュータであって、遊技機固有電源供給ユニット１０及び島固有電源供給ユニット２０から遊技機２、遊技機固有設備装置及び島固有設備装置に電力供給を行うか否かを、複数の遊技機固有電力供給切換手段と複数の島固有電力供給切換手段とに対して指示する電力供給指示手段３１と、遊技機固有電力供給検出手段による検出結果を、遊技機固有電源供給ユニット１０毎に個別に管理する遊技機固有検出結果管理手段３２と、島固有電力供給検出手段による検出結果を、その島固有設備装置に対応して設置されている遊技機２の遊技機固有電源供給ユニット１０毎に個別に管理する島固有検出結果管理手段３３と、電力供給を行っていない遊技機固有電力供給切換手段と島固有電力供給切換手段に電力供給を行う状態への切り換えを指示する電力供給開始指示入力装置３４（入力機器）と、電力供給開始指示入力装置３４からの入力に基づいて、電力供給指示手段３１に対して、全て又は一部の遊技機固有電力供給切換手段と島固有電力供給切換手段に電力供給を行う指示だしを行わせるとともに、全て又は一部の遊技機固有電力供給切換手段と島固有電力供給切換手段に電力供給を行う指示だしを行った後、遊技機固有検出結果管理手段３２と島固有検出結果管理手段３３により異常という検出結果となっている遊技機固有電源供給ユニット１０を特定し、該遊技機固有電源供給ユニット１０を特定する情報を表示手段３６に表示させる電力供給管理手段３５とを備えて構成されている。
【００１６】
このように構成された本発明の電源供給システム１によれば、遊技機固有電源供給ユニット１０の単位又は島固有電源供給ユニット２０の単位で電力供給を行うか否かの切換えを行うとともに、各電力線の電圧値や電流値に基づいて電力供給状態の異常を検出し、これが遊技機２又は遊技機固有設備装置である場合は、その遊技機固有電源供給ユニット１０を特定し、該遊技機固有電源供給ユニット１０を特定する情報を表示手段３６に表示させ、また、島固有設備装置が異常の場合は、該島固有設備装置に関連する遊技機２及びその遊技機固有設備装置の遊技機固有電源供給ユニット１０を特定し、該遊技機固有電源供給ユニット１０を特定する情報を表示手段３６に表示させることができるので、特定の遊技機２が遊技者にとって快適に作動する状態であるか否かを遊技場の店員に正確に報知することが可能になる。これにより、遊技場の店員は、遊技に支障をきたしている遊技機２の適正な対策作業を簡易に行うことができる。
【００１７】
また、本実施形態に係るホールコンピュータ３０の電力供給管理手段３５は、電力供給指示手段３１を介して、全て又は一部の遊技機固有電力供給切換手段や島固有電力供給切換手段に電力供給を行う指示だしを行うにあたり、各遊技機固有電力供給切換手段や各島固有電力供給切換手段にシリアルナンバーを付与するとともに、一の遊技機固有電力供給切換手段や島固有電力供給切換手段への指示だしが終わる毎にインクリメント（又はデクリメント）される変数Ｎに基づいて各遊技機固有電力供給切換手段や各島固有電力供給切換手段を特定するようになっており、一の遊技機固有電力供給切換手段や島固有電力供給切換手段への指示だしには、特定された遊技機固有電力供給切換手段や島固有電力供給切換手段に対して電力供給側への切換えを指示する処理と、特定された遊技機固有電力供給切換手段や島固有電力供給切換手段が電力供給側に切換えられた後、対応する遊技機固有電力供給検出手段や島固有電力供給検出手段から各電力線の電圧値や電流値を受信する処理と、受信した電圧値や電流値が異常値であるか否かをに基づいて各電力線への電力供給状況が異常であるか否かを判断する処理と、異常と判断された遊技機固有電力供給切換手段や島固有電力供給切換手段を特定するための変数Ｎを表示手段３６に表示させる処理とが含まれる。このようにすると、全て又は一部の遊技機２、遊技機固有設備装置及び島固有設備装置に電源投入を行う際に、異常な機器の情報を表示できるので、電源投入後、異常な機器を含む遊技機単位又は島単位で適正な対策作業を実施することができる。
【００１８】
次に、上記のような電源供給システム１を実現するためのホールコンピュータ３０の具体的な処理手順（電力供給開始処理）について、図５を参照して説明する。図５に示す電力供給開始処理は、全て又は一部の遊技機２、遊技機固有設備装置及び島固有設備装置に対する電力供給を開始するために実行される処理であって、まず、遊技機固有電源供給ユニット１０及び島固有電源供給ユニット２０を特定するための変数Ｎに初期値である「１」をセットした後（Ｓ１０１）、変数Ｎで特定される電源供給ユニット１０、２０が電力供給中であるか否かを判断する（Ｓ１０２）。この判断結果がＮＯの場合は、電源供給開始指示入力装置３４から指示されたナンバーであるか否かを判断し（Ｓ１０３）、この判断結果もＹＥＳの場合は、変数Ｎで特定される電源供給ユニット１０、２０に対して電源供給を開始する旨の指示だしを行う。この指示だしには、前述したように、特定された電源供給ユニット１０、２０（遊技機固有電力供給切換手段、島固有電力供給切換手段）に対して電力供給側への切換えを指示する処理（Ｓ１０４）と、特定された電源供給ユニット１０、２０（遊技機固有電力供給切換手段、島固有電力供給切換手段）が電力供給側に切換えられた後、電源供給ユニット１０、２０（遊技機固有電力供給検出手段、島固有電力供給検出手段）から各電力線の電圧値や電流値を受信する処理（Ｓ１０５）と、受信した電圧値や電流値が異常値であるか否かをに基づいて各電力線への電力供給状況が異常であるか否かを判断する処理（Ｓ１０６、Ｓ１０７）と、異常と判断された電源供給ユニット１０、２０（遊技機固有電力供給切換手段、島固有電力供給切換手段）を特定するための変数Ｎを記憶するとともに、変数Ｎを表示手段３６に表示させる処理（Ｓ１０８）とが含まれる。このとき、島固有電源供給ユニット２０に接続された電力線が異常と判断した場合は、その島固有電源供給ユニット２０を特定する変数Ｎを記憶・表示するだけでなく、予めその島固有電源供給ユニット２０に関連付けされた遊技機固有電源供給ユニット１０のシリアルナンバー、すなわち異常が発生した島に設置され、遊技に支障をきたす可能性がある遊技機２の特定情報も記憶・表示するようになっている。そして、一の電源供給ユニット１０、２０に対する指示だしが終了したら、変数Ｎが最終ナンバーであるか否かを確認した後（Ｓ１０９）、変数Ｎをインクリメントし（Ｓ１１０）、上記の処理（Ｓ１０２〜Ｓ１０８）を繰り返す。
【００１９】
叙述の如く構成された本実施形態によれば、複数台の遊技機２と、遊技機一台毎に設置される複数種類の遊技機固有設備装置と、所定台数の遊技機毎に設置される島固有設備装置と、に電力を供給する電源供給システム１であって、一台の遊技機２の電力線と該遊技機２に関連した複数の遊技機固有設備装置の各電力線とが接続されるユニットであって、一台の遊技機２と遊技機２に関連した複数の遊技機固有設備装置に電力を供給するか非供給にするかを切換可能な遊技機固有電力供給切換手段と、各電力線の電圧値及び／又は電流値に基づいて遊技機２と遊技機固有設備装置への電力供給状況が異常であるか否かを検出する遊技機固有電力供給検出手段と、が設けられ、遊技機２の台数分設置される遊技機固有電源供給ユニット１０と、島固有設備装置の電力線が接続されるユニットであって、島固有設備装置に電力を供給するか非供給にするかを切換可能な島固有電力供給切換手段と、電力線の電圧値及び／又は電流値に基づいて島固有設備装置への電力供給状況が異常である否かを検出する島固有電力供給検出手段と、が設けられ、所定台数の遊技機２毎に設置される島固有電源供給ユニット２０と、複数の遊技機固有電力供給切換手段と、複数の島固有電力供給切換手段とに、通信可能に接続されるものであって、遊技機固有電源供給ユニット１０及び島固有電源供給ユニット２０から遊技機２、遊技機固有設備装置及び島固有設備装置に電力供給を行うか否かを、複数の遊技機固有電力供給切換手段と複数の島固有電力供給切換手段とに対して指示する電力供給指示手段３１と、複数の遊技機固有電力供給検出手段と通信可能に接続されるものであって、遊技機固有電力供給検出手段による検出結果を、遊技機固有電源供給ユニット１０毎に個別に管理する遊技機固有検出結果管理手段３２と、複数の島固有電力供給検出手段と通信可能に接続されるものであって、島固有電力供給検出手段による検出結果を、その島固有設備装置に対応して設置されている遊技機２の遊技機固有電源供給ユニット１０毎に個別に管理する島固有検出結果管理手段３３と、電力供給を行っていない前記遊技機固有電力供給切換手段と前記島固有電力供給切換手段に電力供給を行う状態への切り換えを指示する電力供給開始指示入力装置３４と、電力供給開始指示入力装置３４からの入力に基づいて、電力供給指示手段３１に対して、全て又は一部の遊技機固有電力供給切換手段と島固有電力供給切換手段に電力供給を行う指示だしを行わせるとともに、全て又は一部の遊技機固有電力供給切換手段と島固有電力供給切換手段に電力供給を行う指示だしを行った後、遊技機固有検出結果管理手段３２と島固有検出結果管理手段３３により異常という検出結果となっている遊技機固有電源供給ユニット１０を特定し、該遊技機固有電源供給ユニット１０を特定する情報を表示手段３６に表示させる電力供給管理手段３５とを備えるので、遊技機固有電源供給ユニット１０の単位又は島固有電源供給ユニット２０の単位で電力供給を行うか否かの切換えを行うとともに、各電力線の電圧値や電流値に基づいて電力供給状態の異常を検出し、これが遊技機２又は遊技機固有設備装置である場合は、その遊技機固有電源供給ユニット１０を特定し、該遊技機固有電源供給ユニット１０を特定する情報を表示手段３６に表示させ、また、島固有設備装置が異常の場合は、該島固有設備装置に関連する遊技機２及びその遊技機固有設備装置の遊技機固有電源供給ユニット１０を特定し、該遊技機固有電源供給ユニット１０を特定する情報を表示手段３６に表示させることができる。これにより、特定の遊技機２が遊技者にとって快適に作動する状態であるか否かを遊技場の店員に正確に報知することが可能になり、この結果、遊技場の店員は、遊技に支障をきたしている遊技機２の適正な対策作業を簡易に行うことができる。
【００２０】
また、遊技機固有電源供給ユニット１０や島固有電源供給ユニット２０は、各電力線に対する電力供給を入り／切りさせるリレーＲＬ１、ＲＬ２と、各電力線の電圧値を検出する電圧検出センサＳＮ１、ＳＮ２と、各電力線の電流値を検出する電流検出センサＳＮ３、ＳＮ４と、電力供給指示手段３１からの指示に応じて、対応するリレーＲＬ１、ＲＬ２を入り／切り動作させるとともに、電圧検出センサＳＮ１、ＳＮ２及び／又は電流検出センサＳＮ３、ＳＮ４の検出結果を遊技機固有検出結果管理手段３２及び／又は島固有検出結果管理手段３３に送信する制御部１１、２１とを備えて構成されているので、本発明に係る遊技機固有電源供給ユニット１０や島固有電源供給ユニット２０を簡略に構成し、本発明の電源供給システム１を低コストで構築することが可能になる。
【００２１】
また、電力供給管理手段３５は、前記電力供給指示手段３１を介して、全て又は一部の遊技機固有電力供給切換手段と島固有電力供給切換手段に電力供給を行う指示だしを行うにあたり、各遊技機固有電力供給切換手段及び各島固有電力供給切換手段にシリアルナンバーを付与するとともに、一の遊技機固有電力供給切換手段又は島固有電力供給切換手段への指示だしが終わる毎にインクリメント又はデクリメントされる変数Ｎに基づいて各遊技機固有電力供給切換手段及び各島固有電力供給切換手段を特定するようになっており、一の遊技機固有電力供給切換手段又は島固有電力供給切換手段への指示だしには、特定された遊技機固有電力供給切換手段又は島固有電力供給切換手段に対して電力供給側への切換えを指示する処理と、特定された遊技機固有電力供給切換手段又は島固有電力供給切換手段が電力供給側に切換えられた後、対応する遊技機固有電力供給検出手段又は島固有電力供給検出手段から各電力線の電圧値及び／又は電流値を受信する処理と、受信した電圧値及び／又は電流値が異常値であるか否かをに基づいて各電力線への電力供給状況が異常であるか否かを判断する処理と、異常と判断された遊技機固有電力供給切換手段又は島固有電力供給切換手段を特定するための変数Ｎを表示手段３６に表示させる処理とが含まれるので、全て又は一部の遊技機２、遊技機固有設備装置及び島固有設備装置に電源投入を行う際に、異常な機器の情報を収集し、電源投入後、異常な機器を含む遊技機単位又は島単位で適正な対策作業を実施することができる。
【図面の簡単な説明】
【００２２】
【図１】電源供給システムの構成を示す説明図である。
【図２】遊技機固有電源供給ユニットの構成を示す説明図である。
【図３】島固有電源供給ユニットの構成を示す説明図である。
【図４】ホールコンピュータの構成を示す説明図である。
【図５】電力供給開始処理を示すフローチャートである。
【符号の説明】
【００２３】
１    電源供給システム
２    遊技機
３    呼出ランプ
４    球貸機
５    島金庫
６    研磨機
１０  遊技機固有電源供給ユニット
２０  島固有電源供給ユニット
３０  ホールコンピュータ
３１  電力供給指示手段
３２  遊技機固有検出結果管理手段
３３  島固有検出結果管理手段
３４  電力供給開始指示入力装置
３５  電力供給管理手段
３６  表示手段
【図１】
2008245898.tif 000003
【図２】
2008245898.tif 000004
【図３】
2008245898.tif 000005
【図４】
2008245898.tif 000006
【図５】
2008245898.tif 000007